(57)【要約】【課題】均一に光を出射するバックライトアセンブリを提供する。【解決手段】バックライトアセンブリは、互いに離隔された複数のランプと、ランプから発生した光を拡散させる光学部材と、を備え、光学部材は、第１拡散部材と、第２拡散部材とを含む。第１及び第２拡散部材の各々は、領域別に互いに従属的な光透過率を有するようにデザインされる。従って、受光領域全体にかけて均一な光の輝度を得ることができる光学部材をより容易にデザインすることができる。【選択図】図６
2010073685.tif 000002
【特許請求の範囲】
【請求項１】
光を発生し、互いに離隔された複数のランプと、
前記ランプから光が提供されて該光を拡散させる光学部材と、を備え、
前記光学部材は、
光を拡散させる第１拡散部材と、
前記ランプの位置に対応する第１領域で前記第１拡散部材より小さい光透過率を有し、互いに隣接した二つのランプの間に対応する第２領域で前記第１拡散部材より大きい光透過率を有する第２拡散部材と、を含むことを特徴とするバックライトアセンブリ。
【請求項２】
前記第１拡散部材は、
第１ベース部と、
光を半透過させる物質を含んで前記第１ベース部上に具備され、前記第１ベース部と重なる面積の大きさを利用して前記第１ベース部を通じて出射する光の量を調節する第１光量調節部と、を含み、
前記第２拡散部材は、
第２ベース部と、
光を半透過させる物質を含んで前記第２ベース部上に具備され、前記第２ベース部と重なる面積の大きさを利用して前記第２ベース部を通じて出射する光の量を調節する第２光量調節部と、を含むことを特徴とする請求項１に記載のバックライトアセンブリ。
【請求項３】
前記第１領域から前記第２領域へ行くほど前記第１拡散部材及び前記第２拡散部材の光透過率が増加することを特徴とする請求項２に記載のバックライトアセンブリ。
【請求項４】
前記第１領域から前記第２領域へ行くほど前記第１及び前記第２光量調節部の大きさが小さくなることを特徴とする請求項２に記載のバックライトアセンブリ。
【請求項５】
前記第１ベース部及び前記第２ベース部の各々の表面に、第１方向及び該第１方向と直角をなす第２方向に各々一定の間隔に配列されるポイントを定義すると、前記第１ベース部の表面に定義されたポイントは前記第１光量調節部の中心と一対一対応し、前記第２ベース部の表面に定義されたポイントは前記第２光量調節部の中心と一対一対応することを特徴とする請求項２に記載のバックライトアセンブリ。
【請求項６】
前記第１拡散部材は、
ベース部と、
光を半透過させる物質を含んで前記ベース部の第１表面に具備され、前記ベース部と重なる面積の大きさを利用して前記ベース部を通じて出射する光の量を調節する第１光量調節部と、を含み、
前記第２拡散部材は、
光を半透過させる物質を含んで前記ベース部の前記第１表面と面する第２表面に具備され、前記ベース部と重なる面積の大きさを利用して前記ベース部を通じて出射する光の量を調節する第２光量調節部を含むことを特徴とする請求項１に記載のバックライトアセンブリ。
【請求項７】
前記第１領域から前記第２領域へ行くほど前記第１及び前記第２光量調節部の大きさが小さくなることを特徴とする請求項６に記載のバックライトアセンブリ。
【請求項８】
光を発生し、互いに離隔して配置された複数のランプと、
前記ランプから光が提供されて該光を拡散させる第１拡散部材と、
前記第１拡散部材を透過した光を拡散させる第２拡散部材と、を備え、
前記第１拡散部材は、
第１ベース部と、
前記第１ベース部から突出したレンズ形状を有して前記第１ベース部を透過する光を拡散させる第１突出部と、を含み、
前記第２拡散部材は、
第２ベース部と、
光を半透過させる物質を含んで前記第２ベース部上に具備され、前記第２ベース部と重なる面積の大きさを利用して前記第２ベース部を通じて出射する光の量を調節する光量調節部と、を含むことを特徴とするバックライトアセンブリ。
【請求項９】
前記ランプの位置に対応する領域で、互いに隣接した二つのランプの間に対応する領域へ行くほど前記光量調節部の大きさが小さくなることを特徴とする請求項８に記載のバックライトアセンブリ。
【請求項１０】
光を発生し、互いに離隔して配置された複数のランプと、
前記ランプから光が提供されて該光を拡散させる第１拡散部材と、
前記第１拡散部材を透過した光を拡散させる第２拡散部材と、を備え、
前記第１拡散部材は、
第１ベース部と、
前記第１ベース部から突出したレンズ形状を有して前記第１ベース部を透過する光を拡散させる第１突出部と、を含み、
前記第２拡散部材は、
第２ベース部と、
前記第２ベース部から突出したレンズ形状を有して前記第１突出部によって拡散された光を拡散させ、前記第１突出部の各々の表面が有する曲率より小さい曲率を有する第２突出部と、を含むことを特徴とするバックライトアセンブリ。
【発明の詳細な説明】
【技術分野】
【０００１】
本発明は、バックライトアセンブリに関し、より詳細には、均一に光を出射するバックライトアセンブリに関する。
【背景技術】
【０００２】
平板表示装置の一つである液晶表示装置は、液晶表示パネルと、液晶表示パネル側へ光を提供するバックライトアセンブリとを含む。バックライトアセンブリは、ランプの位置及びランプから発生した光を集光する方式によって直下方式（ｄｉｒｅｃｔ  ｔｙｐｅ）及びエッジ方式（ｅｄｇｅ  ｔｙｐｅ）がある。直下方式のバックライトアセンブリは、主にテレビのような大型液晶表示装置に採用され、エッジ方式のバックライトアセンブリは、主にモバイル装置及び携帯用コンピュータのような小型液晶表示装置に採用される。
【０００３】
一般的にバックライトアセンブリは、ランプと、反射板と、拡散板とを含む。ランプは、光を発生し、反射板は、液晶表示パネルと離れる方向に進行する光を反射させて光の利用効率を増加させる。又、拡散板は、ランプ及び液晶表示パネルの間に位置して光を拡散させる。
【０００４】
一方、最近では、液晶表示装置の厚さを減少させるために拡散板及びランプ間の離隔距離が、だんだん小さくなっている。しかし、拡散板及びランプ間の離隔距離が減少するほど、拡散板によってランプから発生した光が拡散される効果は減少し、拡散板を透過して液晶表示パネル側へ提供される光の輝度は領域別に偏差が発生しうる。
【先行技術文献】
【特許文献】
【０００５】
【特許文献１】韓国特許公開第２００７−０２１３７８号明細書
【特許文献２】韓国特許公開第２００６−０５９１０４号明細書
【特許文献３】特開第２００５−１１７０２３号公報
【発明の概要】
【発明が解決しようとする課題】
【０００６】
そこで、本発明は、上記従来の問題点に鑑みてなされたものであって、本発明の目的は、受光領域全体にかけて均一な輝度で光を提供するバックライトアセンブリを提供することにある。
【課題を解決するための手段】
【０００７】
上記目的を達成するためになされた本発明の一特徴によるバックライトアセンブリは、互いに離隔された複数のランプと、前記ランプから光が提供されて該光を拡散させる光学部材と、を備え、前記光学部材は、光を拡散させる第１拡散部材と、第２拡散部材と、を含む。
前記第２拡散部材は、前記ランプの位置に対応する第１領域で前記第１拡散部材より小さい光透過率を有し、互いに隣接した二つのランプの間に対応する第２領域で前記第１拡散部材より大きい光透過率を有する。
【０００８】
上記目的を達成するためになされた本発明の他の特徴によるバックライトアセンブリは、互いに離隔して配置された複数のランプと、前記ランプから光が提供されて該光を拡散させる第１拡散部材と、前記第１拡散部材を透過した光を拡散させる第２拡散部材とを備える。
前記第１拡散部材は、第１ベース部と、前記第１ベース部から突出したレンズ形状を有して前記第１ベース部を透過する光を拡散させる第１突出部と、を含む。前記第２拡散部材は、第２ベース部と、光量調節部と、を含み、前記光量調節部は、光を半透過させる物質を含んで前記第２ベース部上に具備され、前記第２ベース部と重なる面積の大きさを利用して前記第２ベース部を通じて出射する光の量を調節する。
【０００９】
上記目的を達成するためになされた本発明の他の特徴によるバックライトアセンブリは、互いに離隔して配置された複数のランプと、前記ランプから光が提供されて該光を拡散させる第１拡散部材と、前記第１拡散部材を透過した光を拡散させる第２拡散部材と、を備える。
前記第１拡散部材は、第１ベース部と、前記第１ベース部から突出したレンズ形状を有して前記第１ベース部を透過する光を拡散させる第１突出部と、を含み、前記第２拡散部材は、第２ベース部と、前記第２ベース部から突出したレンズ形状を有して前記第１突出部によって拡散された光を拡散させる第２突出部とを含む。前記第２突出部の各々の表面が有する曲率は、前記第１突出部の各々の表面が有する曲率より小さい。
【発明の効果】
【００１０】
本発明のバックライトアセンブリは、領域別に互いに従属的な光透過率を有するようにデザインされた第１拡散部材と、第２拡散部材とを含む。従って、液晶表示パネルの表示領域全体にかけて均一な輝度に光を提供することができる光学部材をより容易にデザインすることができる。
【図面の簡単な説明】
【００１１】
【図１】本発明の第１実施形態による液晶表示装置の分解斜視図である。
【図２】図１に示した第１拡散板の平面図である。
【図３】図２に示した第１拡散板の第１領域を拡大した図である。
【図４】図２に示した第１拡散板の第２領域を拡大した図である。
【図５】図１に示した第２拡散板の平面図である。
【図６】図１に示した液晶表示装置の光学部材、ランプ、及び反射板を切った部分を示す断面図である。
【図７】光学部材の構造の差によるランプ位置及び輝度間の関係を示すグラフである。
【図８】光学部材の構造の差によるランプ位置及び輝度間の関係を示すグラフである。
【図９】光学部材の構造の差によるランプ位置及び輝度間の関係を示すグラフである。
【図１０】光学部材の構造の差によるランプ位置及び輝度間の関係を示すグラフである。
【図１１】本発明の第２実施形態による液晶表示装置の光学部材を切った部分を示す断面図である。
【図１２】図１１に示した第１突出部を拡大して示す断面図である。
【図１３】図１１に示した第２突出部を拡大して示す断面図である。
【図１４】本発明の第３実施形態による液晶表示装置の光学部材を切った部分を示す断面図である。
【図１５】本発明の第４実施形態による液晶表示装置の光学部材を切った部分を示す断面図である。
【図１６】本発明の第５実施形態による液晶表示装置の光学部材を切った部分を示す断面図である。
【発明を実施するための形態】
【００１２】
以下、本発明によるバックライトアセンブリを実施するための形態を、図面を参照しながら詳細に説明する。本発明の目的、特徴及び効果は、図面を参照しながら説明する実施形態を通じて容易に理解されるはずである。但し、本発明は、ここで説明する実施形態に限定されず、多様な形態に応用されて変形することができる。以下で説明する実施形態は、本発明によって開示される技術思想をより明確にし、本発明が属する技術分野で通常の知識を有した当業者に本発明の技術思想が十分に伝わることができるように提供されるものである。従って、本発明の範囲が後述する実施形態に限定されるものと解釈してはならない。一方、下記実施形態と共に説明する図面は、明確な説明のために多少簡略化され、或いは誇張されたものであり、図面に示された同一の参照番号は同一の構成要素を示す。
【００１３】
図１は、本発明の第１実施形態による液晶表示装置の分解斜視図である。
【００１４】
図１を参照すると、液晶表示装置５００は、光を発生するバックライトアセンブリ２００と、収納空間を提供するボトムサッシ１６０と、ボトムサッシ１６０と結合するトップサッシ３８０と、バックライトアセンブリ２００から光が提供されて映像を表示する液晶表示パネル４３０とを含む。
【００１５】
液晶表示装置５００で、液晶表示パネル４３０は、バックライトアセンブリ２００の上部に具備されてバックライトアセンブリ２００から光が提供されて映像を表示する。液晶表示パネル４３０は、カラーフィルタ基板４１０と、薄膜トランジスタ基板４２０と、カラーフィルタ基板４１０と薄膜トランジスタ基板４２０との間に介在する液晶層（図示せず）とを含む。
【００１６】
薄膜トランジスタ基板４２０は、画素を含み、薄膜トランジスタ基板４２０には、画素と一対一対応して形成された複数の薄膜トランジスタ（図示せず）及び薄膜トランジスタと一対一対応して薄膜トランジスタと電気的に接続される画素電極（図示せず）が形成される。カラーフィルタ基板４１０には、画素と一対一対応して赤色カラーフィルタ、緑色カラーフィルタ、青色カラーフィルタのうち、何れか一つが形成され、カラーフィルタ基板４１０には、画素電極と面する共通電極が形成される。その結果、画素電極及び共通電極によって形成された電界によって液晶の配向が変更され、液晶表示パネル４３０を透過する光の量を調節することができる。
【００１７】
バックライトアセンブリ２００は、光源部１５０と、反射板１７０と、光学部材２５０と、光学シート２６０とを含む。
【００１８】
反射板１７０は、光源部１５０の下部に具備され、光源部１５０から発生してボトムサッシ１６０の底部側へ進行する光を反射させる。その結果、反射板１７０で反射された光の経路は、液晶表示パネル４３０側へ変更されて液晶表示パネル４３０が映像を表示することに使われる光の利用効率を向上させる。
【００１９】
光源部１５０は、液晶表示パネル４３０及び反射板１７０の間に具備される。光源部１５０は、光を発生する複数のランプ１００と、ランプ電極線１１０と、ランプホルダ１２０とを含み、互いに隣接した二つのランプは、一定の間隔に反射板１７０上に配置される。ランプ電極線１１０は、電源供給装置であるインバータ（図示せず）と電気的に接続され、インバータから発生した電源をランプ１００側へ提供する。ランプホルダ１２０は、ランプ１００の各々の端部と締結され、ランプ１００をバックライトアセンブリ２００内に固定させる。
【００２０】
光学部材２５０は、ランプ１００及び液晶表示パネル４３０の間に具備され、光学部材２５０は、ランプ１００から光が提供されて光を拡散させる。その結果、液晶表示パネル４３０は、表示領域の全体にかけて均一な輝度を有する光を提供することができる。
【００２１】
一方、光学部材２５０は、第１拡散板２１０と、第２拡散板２４０とを含む。バックライトアセンブリ２００内で、第１拡散板２１０は、第２拡散板２４０よりランプ１００と隣接して配置される。従って、第１拡散板２１０は、ランプ１００から発生した光を拡散させ、第２拡散板２４０は、ランプ１００から発生して第１拡散板２１０によって拡散された光を更に拡散させる。
【００２２】
第１及び第２拡散板２１０、２４０が光を拡散させる原理を、第１拡散板２１０を例として説明すると、第１拡散板２１０の入射面には、半透過物質を含む複数の第１光量調節部２１３（図２）が領域別に互いに異なる大きさを有するように形成される。半透過物質は、光を透過し、光を反射させる物質であり、例えば、半透過物質には、二酸化チタンＴｉＯ２のような物質がある。第１光量調節部の大きさによって第１光量調節部を透過する光透過率が変更され、第１拡散板２１０は、第１光量調節部の大きさを調節して領域別に互いに異なる光透過率を有するようになる。従って、平面上でランプ１００と重なる領域で、第１光量調節部の大きさを増加させて第１拡散板２１０の光透過率を減少させ、反面、平面上で互いに隣接した二つのランプの間と重なる領域で、第１光量調節部の大きさを減少させて第１拡散板２１０の光透過率を増加させる。その結果、第１拡散板２１０を透過する光の輝度は均一になることができる。これに対するより詳細な説明は、図２〜図４を参照して説明する。
【００２３】
バックライトアセンブリ２００で、光学部材２５０の上部には光学シート２６０が配置される。光学シート２６０は、可撓性を有するシート形状を有する。光学シート２６０は、光学部材２５０から出射した光を集光して正面輝度を向上させるプリズムシートと、光学部材２５０から出射した光を拡散させる拡散シートとを含むことができる。
【００２４】
ボトムサッシ１６０は、底部と底部から延長された側壁を具備して収納空間を提供し、収納空間には、バックライトアセンブリ２００が収納される。トップサッシ３８０は、ボトムサッシ１６０の側壁と締結されてボトムサッシ１６０と結合する。又、液晶表示装置５００で、ボトムサッシ１６０及びトップサッシ３８０の間にミドルモールド３００がさらに具備され、ミドルモールド３００は、液晶表示パネル４３０を液晶表示装置５００内により安定的に固定させる。
【００２５】
図２は、図１に示した第１拡散板の平面図であり、図３は、図２に示した第１拡散板の第１領域を拡大した図であり、図４は、図２に示した第１拡散板の第２領域を拡大した図である。
【００２６】
図２を参照すると、第１拡散板２１０は、第１ベース部２１１と、第１光量調節部２１３とを含む。
【００２７】
第１ベース部２１１は、平らなプレート形状を有し、第１ベース部２１１は、ポリメチルメタクリレイトＰＭＭＡ（ｐｏｌｙｍｅｔｈｙｌｍｅｔａｃｒｙｌａｔｅ）、ポリカーボネート（ｐｏｌｙｃａｒｂｏｎａｔｅ）ＰＣ、及びポリスチレンＰＳ（ｐｏｌｙｓｔｙｒｅｎｅ）のような樹脂を含み、第１ベース部２１１は、内部に二酸化チタンのような物質を含む拡散ビーズを有する。又、第１ベース部２１１は、平面上でランプ１００（図１）の各々と重なる第１領域Ａ１、及び互いに隣接した二つのランプの間と重なる第２領域Ａ２を有する。
【００２８】
第１光量調節部２１３は、第１ベース部２１１上に具備され、第１光量調節部２１３の各々は、平面上で長方形の形状を有する。第１光量調節部２１３は、二酸化チタンＴｉＯ２のような、半透過物質を含む。従って、第１光量調節部２１３のうち、何れか一つの側へ光が到達すると、概略的に光の６２％は、第１光量調節部を透過し、概略的に光の３８％は、第１光量調節部で反射して光の進行経路が変更される。従って、第１ベース部２１１の単位領域内で第１光量調節部２１３の密度が増加するほど、この単位領域で第１拡散板２１０の光透過率は減少する。
【００２９】
第１光量調節部２１３は、第１ベース部２１１上に二つの規則によって配列される。規則のうちの一つは、平面上で、第１領域Ａ１から第２領域Ａ２へ行くほど、第１光量調節部２１３の面積が小さくなる。従って、第１光量調節部２１３は、第１領域Ａ１から第２領域Ａ２へ行くほど第１拡散板２１０の光透過率を増加させる。
【００３０】
上述したように、第１ベース部２１１で、第１領域Ａ１は、平面上でランプ１００（図１）の各々と重なる領域であり、第１ベース部２１１で、第２領域Ａ２は、平面上で互いに隣接した二つのランプの間と重なる領域である。従って、第１光量調節部２１３によって、ランプから出射して第１拡散板２１０を透過する光の量は、第１領域Ａ１から第２領域Ａ２へ行くほど増加する。
【００３１】
一方、第１光量調節部２１３は、第１ベース部２１１上で、位置によって互いに異なる大きさを有するが、第１光量調節部２１３の各々の短辺の長さ及び長辺の長さの比は一定であり、短辺の長さ及び長辺の長さの比は、１:１〜１:２程度である。又、第１領域Ａ１で短辺の長さは０．８ｍｍ〜２ｍｍであり、第２領域Ａ２で短辺の長さは０．２ｍｍ〜０．８ｍｍである。
【００３２】
図３を参照すると、規則のうちの他の一つは、平面上で、第１光量調節部２１３の各々の中心と第１ベース部２１１上に定義されるポイント２４５の各々の中心とが一致するように、第１光量調節部２１３は第１ベース部２１１上に配列される。ポイント２４５は、第１方向Ｄ１に一定の間隔で配列され、第１方向Ｄ１に互いに隣接して配列された二つのポイントの間の離隔距離である第１長さＬ１は１．５ｍｍ〜３ｍｍである。又、ポイント２４５は、第１方向Ｄ１と直角をなす第２方向Ｄ２に一定の間隔で配列され、第２方向Ｄ２に互いに隣接して配列された二つのポイントの間の離隔距離である第２長さＬ２は１．０ｍｍ〜２ｍｍである。
【００３３】
一方、第１方向Ｄ１に隣接した二つの第１光量調節部は、第４長さＬ４ほど互いに離隔され、同一である列に互いに隣接して配列される二つの第１光量調節部は第５長さＬ５ほど互いに離隔される。第４長さＬ４及び第５長さＬ５は、各々０．０６ｍｍ〜０．３ｍｍである。又、互いに隣接した三つのポイントが形成する角のうち、鋭角θの大きさは３０°〜６０°である。
【００３４】
一方、第１長さＬ１を二等分するぐらいの長さを有する第３長さＬ３と同一の大きさを有する短辺を有し、第２長さＬ２と同一の長さを有する長辺を有する単位四角形２４８を定義し、単位四角形２４８の面積で、第１光量調節部２１３のうち、何れか一つが占める面積の比率を第１パッキング密度（ａ  ｆｉｒｓｔ  ｐａｃｋｉｎｇ  ｄｅｎｓｉｔｙ）と定義する。第１領域Ａ１で第１パッキング密度は６０％〜８０％であり、より詳細には、第１領域Ａ１で第１パッキング密度は７６．５％である。上述したように、第１領域Ａ１から第２領域Ａ２へ行くほど、第１光量調節部２１３の大きさは小さくなるので、第１パッキング密度は、第１領域Ａ１内で最大値を有する。
【００３５】
図４を参照すると、第２領域Ａ２で第１パッキング密度は、１０％〜３０％であり、より詳細には第２領域Ａ２で第１パッキング密度は２０．５％である。第１領域Ａ１から第２領域Ａ２へ行くほど、第１光量調節部２１３の大きさは小さくなるので、第２領域Ａ２で第１パッキング密度は最小値を有する。
【００３６】
図５は、図１に示した第２拡散板の平面図である。
【００３７】
図５を参照すると、第２拡散板２４０は、第２ベース部２４１と、第２ベース部２４１上に具備される第２光量調節部２４３とを含む。第２ベース部２４１は、平らなプレート形状を有し、第２ベース部２４１は、ポリメチルメタクリレイトＰＭＭＡ、ポリカーボネートＰＣ、又はポリスチレンＰＳのような樹脂を含む。
【００３８】
第２光量調節部２４３は、図２を参照して説明した第１光量調節部２１３（図２）と同一の機能を有する。しかし、第２光量調節部２４３が配列される方式は、第１光量調節部が配列される方式とは多少相異する。より詳細には、全般的に第２光量調節部２４３は、図２を参照して説明した第１光量調節部が配列される二つの規則によって配列されるが、第１〜第５スイチング領域Ｓ１、Ｓ２、Ｓ３、Ｓ４、Ｓ５で、第２光量調節部２４３のうちの一部は、同一である列に配列される異なる第２光量調節部として相異する面積を有することができる。
【００３９】
例えば、第１スイチング領域Ｓ１に具備された二つの第２光量調節部の各々は、同一である列に配列される異なる第２光量調節部として相異する面積を有する。より詳細には、第１スイチング領域Ｓ１に具備された二つの第２光量調節部の各々は、同一である列に配列される異なる第２光量調節部として概略的に±２０％の面積を有することができる。
【００４０】
第１〜第５スイチング領域Ｓ１、Ｓ２、Ｓ３、Ｓ４、Ｓ５で、第２光量調節部２４３のうちの一部が図２を参照して説明した二つの規則と関係なしにランダムに配列されると、第２拡散板２４０を通じて液晶表示装置５００（図１）側へ提供される光は、互いに隣接した任意の領域間で輝度差がより減少し、その結果、液晶表示装置の全体表示領域にかけて提供される光の輝度はより均一になることができる。
【００４１】
一方、図３及び図４を参照して説明した単位四角形２４８（図３及び図４）の面積で、第２光量調節部２４３のうちの何れか一つが占める面積の比率を第２パッキング密度（ａ  ｓｅｃｏｎｄ  ｐａｃｋｉｎｇ  ｄｅｎｓｉｔｙ）と定義する。第１領域Ａ１で第２パッキング密度は８０％〜９０％であり、より詳細には、第１領域Ａ１で第２パッキング密度は８５．４％である。上述のように、第１領域Ａ１から第２領域Ａ２へ行くほど、第２光量調節部２４３の大きさは小さくなるので、第２パッキング密度は第１領域Ａ１で最大値を有する。
【００４２】
又、第２領域Ａ２で第２パッキング密度は１０％〜３０％であり、より詳細には、第２領域Ａ２で第２パッキング密度は１６．５％である。第１領域Ａ１から第２領域Ａ２へ行くほど、第２光量調節部２４３の大きさは小さくなるので、第２領域Ａ２で第２パッキング密度は最小値を有する。即ち、第２パッキング密度を図３及び図４を参照して説明した第１パッキング密度と比較すると、第１領域Ａ１で第２パッキング密度は、第１パッキング密度より大きいが、第２領域Ａ２で第２パッキング密度は、第１パッキング密度より小さい。
【００４３】
図６は、図１に示した液晶表示装置の光学部材、ランプ、及び反射板を切った部分を示す断面図である。
【００４４】
図６を参照すると、反射板１７０の上部にランプ１００（図１）のうち、第１ランプＬＰ１及び第２ランプＬＰ２が互いに隣接して位置する。第１及び第２ランプＬＰ１、ＬＰ２上部には、第１拡散板２１０及び第２拡散板２４０が順次に位置する。
【００４５】
第１ランプＬＰ１の中心から第２ランプＬＰ２の中心までは、第６長さＬ６であり、第６長さＬ６は、２０ｍｍ〜２８ｍｍである。第１ランプＬＰ１の中心から第１拡散板２１０までは、第７長さＬ７であり、第７長さＬ７は、６ｍｍ〜７ｍｍである。又、第１ランプＬＰ１の中心から反射板１７０までは、第８長さＬ８であり、第８長さＬ８は、３ｍｍ〜４ｍｍである。
【００４６】
第１ランプＬＰ１から第１光１０５が出射すると、第１光１０５は、第１光量調節部２１３側へ到達し、第１光１０５のうち、一部は第１光量調節部２１３で反射されて反射板１７０側へ進行する第２光１０６になる。又、第１光１０５のうち、一部は第１光量調節部２１３を透過して第１ベース部２１１を透過する第３光１０７になり、第２光１０６は、反射板１７０で反射されて第１拡散板２１０側へ進行する第４光１０８になる。
【００４７】
図７〜図１０は、光学部材の構造の差によるランプ位置と輝度間の関係を示すグラフである。より詳細には、図７は、バックライトアセンブリ２００（図１）が光学部材２５０（図１）を含まない場合に、ランプ位置によるバックライトアセンブリから出射する光の輝度を示すグラフである。図８は、光学部材が第１拡散板２１０（図１）のみからなる場合に、ランプ位置によるバックライトアセンブリから出射する光の輝度を示すグラフである。図９は、光学部材が第２拡散板２４０（図１）のみからなる場合に、ランプ位置によるバックライトアセンブリから出射する光の輝度を示すグラフである。図１０は、光学部材が第１及び第２拡散板２１０、２４０（図１）からなる場合に、ランプ位置によるバックライトアセンブリから発生した光の輝度を示すグラフである。
【００４８】
図７の第１グラフＧ１を参照すると、バックライトアセンブリが第１及び第２拡散板を含まない場合に、バックライトアセンブリを通じて出射する光の輝度は、互いに隣接した二つのランプの間に対応して、第１輝度Ｂ１を有し、第１ランプＬＰ１（図６）及び第２ランプＬＰ２（図６）の位置に対応して、第１輝度Ｂ１より大きい第２輝度Ｂ２を有する。
【００４９】
図８の第２グラフＧ２を参照すると、光学部材が第１拡散板のみからなる場合に、バックライトアセンブリを通じて出射する光の輝度は、互いに隣接した二つのランプの間に対応して、第１輝度Ｂ１より大きい第３輝度Ｂ３を有し、第１及び第２ランプの位置に対応して、第２輝度より小さな第４輝度Ｂ４を有する。即ち、バックライトアセンブリが第１拡散板のみからなる場合に、バックライトアセンブリが第１及び第２拡散板を含まない場合よりは、バックライトアセンブリから出射する光の輝度は均一になる。
【００５０】
図９の第３グラフＧ３を参照すると、光学部材が第２拡散板のみからなる場合に、バックライトアセンブリを通じて出射する光の輝度は、互いに隣接した二つのランプの間に対応して、第１輝度Ｂ１より大きい第６輝度Ｂ６を有し、第１及び第２ランプの位置に対応して、第２輝度Ｂ２より小さい第５輝度Ｂ５を有する。即ち、光学部材が第２拡散板のみからなる場合に、バックライトアセンブリが第１及び第２拡散板を含まない場合よりは、バックライトアセンブリから出射する光の輝度は均一になる。又、光学部材が第２拡散板からなる場合に、光学部材が第１拡散板からなる場合とは異なり、バックライトアセンブリから第１及び第２ランプ位置に対応して出射する光の輝度は、互いに隣接した二つのランプの間に対応して出射する光の輝度より低い。
【００５１】
図３、図４、及び図５を再び参照すると、第３グラフＧ３が第２グラフＧ２の形状の逆の形状を有する理由は以下のようである。理由のうちの一つは、第１領域Ａ１で第２パッキング密度は第１パッキング密度より大きく、第２領域Ａ２で第２パッキング密度は第１パッキング密度より小さいためである。又、理由のうちの他の一つは、第２パッキング密度は、第１領域Ａ１から第２領域Ａ２へ行くほど、第１パッキング密度より急激に減少するためである。
【００５２】
図１０及び第４グラフＧ４を参照すると、光学部材が第１及び第２拡散板からなる場合に、バックライトアセンブリを通じて出射する光の輝度は第７輝度Ｂ７を有する。即ち、光学部材が第１及び第２拡散板からなる場合に、バックライトアセンブリから出射する光の輝度は、上述の図７〜図９を参照して説明した三つの場合より均一になる。
【００５３】
図１１は、本発明の第２実施形態による液晶表示装置の光学部材を切った部分を示す断面図であり、図１２及び図１３は、図１１に示した第１突出部及び第２突出部を各々拡大して示す断面図である。本発明の第１及び第２実施形態による液晶表示装置は、光学部材を除外すると、互いに同一の構造を有する構成要素を有する。従って、本発明の第２実施形態による液晶表示装置の説明において、光学部材２５１の他に異なる構成要素に対する説明は省略する。
【００５４】
図１１を参照すると、光学部材２５１は、第３拡散板２２０と、第４拡散板２３０とを含み、第３拡散板２２０は、第３ベース部２２１と、第３ベース部２２１上に具備される第１突出部２２３とを含み、第４拡散板２３０は、第４ベース部２３１と、第４ベース部２３１上に具備される第２突出部２３３とを含む。
【００５５】
第１及び第２突出部２２３、２３３は、マイクロレンズのような形状を有し、第１及び第２突出部２２３、２３３を透過する光を屈折させる。本実施形態では、突出部は、楕円形の形状を有し、楕円形の長軸は、第３ベース部２２１によって定義される平面と並行する。従って、第１及び第２ランプＬＰ１、ＬＰ２から発生して、第３拡散板２２０を透過する光は、第１突出部２２３によって拡散され、第３拡散板２２０を透過して第４拡散板２３０を透過する光は、第２突出部２３３によって拡散される。一方、第１突出部２２３の各々の表面の曲率は、第２突出部２３３の各々の表面の曲率より大きい。これに対するより詳細な説明は、図１２及び図１３を参照して説明する。
【００５６】
図１２を参照すると、第１突出部２２３の各々は、第３ベース部２２１から第１高さＨ１ほど突出し、第１高さＨ１は、８０マイクロメータ〜９５マイクロメータである。又、第１突出部２２３の各々の底面の第１幅Ｗ１は、２００マイクロメータ〜２２０マイクロメータである。又、断面上で、第１突出部２２３のうちの何れか一つの表面から延長された曲面を有する楕円を定義する際、楕円の第１長軸ＬＡ１を楕円の第１短軸ＳＡ１で割った値は、１．７２〜１．９２である。
【００５７】
図１３を参照すると、第２突出部２３３の各々は、第４ベース部２３１から第２高さＨ２ほど突出し、第２高さＨ２は、５０マイクロメータ〜６５マイクロメータである。又、第２突出部２３３の各々の底面の第２幅Ｗ２は、第１幅Ｗ１と同一の２００マイクロメータ〜２２０マイクロメータである。又、断面上で、第２突出部２３３のうちの何れか一つの表面から延長された曲面を有する楕円を定義する際、楕円の第２長軸ＬＡ２を楕円の第２短軸ＳＡ２で割った値は、１．２１〜１．４１である。
【００５８】
図１４は、本発明の第３実施形態による液晶表示装置の光学部材を切った部分を示す断面図である。本発明の第１及び第３実施形態による液晶表示装置は、光学部材を除外すると、互いに同一の構造を有する構成要素を有する。従って、本発明の第３実施形態による液晶表示装置の説明において、光学部材２５２の他に異なる構成要素に対する図示は省略し、上述の構成要素に対して図面符号を併記し、重複する説明は省略する。
【００５９】
図１４を参照すると、光学部材２５２は、図１１を参照して説明した第３拡散板２２０と、図６を参照して説明した第２拡散板２４０とを含む。第３拡散板２２０は、第２拡散板２４０より、第１及び第２ランプＬＰ１、ＬＰ２により隣接し、第２拡散板２４０は、第３拡散板２２０を間に置いて第１及び第２ランプＬＰ１、ＬＰ２と離隔される。
【００６０】
第１及び第２ランプＬＰ１、ＬＰ２から発生した光は、第３拡散板２２０によって１次拡散され、第２拡散板２４０は、第３拡散板２２０によって拡散された拡散光を２次拡散する。
【００６１】
図１５は、本発明の第４実施形態による液晶表示装置の光学部材を切った部分を示す断面図である。本発明の第１及び第４実施形態による液晶表示装置は、光学部材を除外すると、互いに同一の構造を有する構成要素を有する。従って、本発明の第４実施形態による液晶表示装置の説明において、光学部材２５３の他に異なる構成要素に対する図示は省略し、上述の構成要素に対して図面符号を併記し、重複する説明は省略する。
【００６２】
図１５を参照すると、光学部材２５３は、第１ベース部２１１と、第１光量調節部２１３と、第２光量調節部２４３とを含む。第１光量調節部２１３は、第１ベース部２１１の一表面に具備され、第２光量調節部２４３は、一表面と面する第１ベース部２１１の異なる表面に具備される。
【００６３】
第１ベース部２１１及び第１光量調節部２１３からなる構造物２１０は、図６を参照して説明した第１拡散板２１０（図６）と同一の構造を有する。しかし、本発明の第４実施形態による光学部材２５３の構造は、本発明の第１実施形態による光学部材２５０（図６）とは異なり、第２光量調節部２４３は、第１光量調節部２１３と面するように第１ベース部２１１上に具備される。即ち、本発明の第４実施形態による光学部材２５３は、一つのベース部の互いに面する表面に第１及び第２光量調節部２１３、２４３が具備される。
【００６４】
図１６は、本発明の第５実施形態による液晶表示装置の光学部材を切った部分を示す断面図である。本発明の第１及び第５実施形態による液晶表示装置は、光学部材を除外すると、互いに同一の構造を有する構成要素を有する。従って、本発明の第５実施形態による液晶表示装置の説明において、光学部材２５４の他に異なる構成要素に対する図示は省略し、上述の構成要素に対して図面符号を併記し、重複する説明は省略する。
【００６５】
図１６を参照すると、光学部材２５４は、図１１を参照して説明した第３拡散板２２０と、拡散シート２４６とを含む。
【００６６】
拡散シート２４６は、第５ベース部２４２と、図６を参照して説明した第２光量調節部２４３とを含む。第５ベース部２４２は、ポリエチレンテレフタレートＰＥＴ
（ｐｏｌｙｅｔｈｙｌｅｎｅ  ｔｅｒｅｐｈｔｈａｌａｔｅ）のような物質を含み、第５ベース部２４２は、第３ベース部２２１より薄い厚さを有して可撓性を有する。又、第５ベース部２４２の表面には、二酸化チタンのような半透過物質を含む拡散ビーズ（図示せず）及び拡散ビーズを第５ベース部２４２の表面に固定させるバインダ（図示せず）が形成され、拡散シート２４６を透過する光を拡散させる。
【００６７】
上述したバックライトアセンブリ及びこれを有する液晶表示装置において、バックライトアセンブリは、領域別に互いに従属的な光透過率を有するようにデザインされた第１拡散部材と、第２拡散部材とを含む。従って、液晶表示パネルの表示領域の全体にかけて均一な輝度に光を提供することができる光学部材をより容易にデザインすることができる。
【００６８】
以上、本発明を、実施形態を参照しながら説明したが、本発明は、上述の実施形態に限定されるものではなく、本発明の技術的範囲から逸脱しない範囲内で多様に変更実施することが可能である。
【符号の説明】
【００６９】
１００    ランプ
１０５    第１光
１０６    第２光
１０７    第３光
１０８    第４光
１１０    ランプ電極線
１２０    ランプホルダ
１５０    光源部
１６０    ボトムサッシ
１７０    反射板
２００    バックライトアセンブリ
２１０    第１拡散板
２１１    第１ベース部
２１３    第１光量調節部
２２０    第３拡散板
２２１    第３ベース部
２２３    第１突出部
２３０    第４拡散板
２３１    第４ベース部
２３３    第２突出部
２４０    第２拡散板
２４１    第２ベース部
２４２    第５ベース部
２４３    第２光量調節部
２４５    ポイント
２４６    拡散シート
２４８    単位四角形
２５０、２５１、２５２、２５３、２５４    光学部材
２６０    光学シート
３００    ミドルモールド
３８０    トップサッシ
４１０    カラーフィルタ基板
４２０    薄膜トランジスタ基板
４３０    液晶表示パネル
５００    液晶表示装置
【図１】
2010073685.tif 000003
【図２】
2010073685.tif 000004
【図３】
2010073685.tif 000005
【図４】
2010073685.tif 000006
【図５】
2010073685.tif 000007
【図６】
2010073685.tif 000008
【図７】
2010073685.tif 000009
【図８】
2010073685.tif 000010
【図９】
2010073685.tif 000011
【図１０】
2010073685.tif 000012
【図１１】
2010073685.tif 000013
【図１２】
2010073685.tif 000014
【図１３】
2010073685.tif 000015
【図１４】
2010073685.tif 000016
【図１５】
2010073685.tif 000017
【図１６】
2010073685.tif 000018